(57)【要約】【課題】粉状や顆粒状の内容物がトップガセット部を形成しているガセットシートの上に溜まりにくいパウチ容器を提供する。【解決手段】柔軟性シートによって形成された袋本体と、この袋本体を開封することによって形成される口部を開閉する雄側ファスナー部材２０ａ及び雌側ファスナー部材２０ｂと、口部を開いた状態に保持する口部保持部材３０とから構成されている。袋本体は、表裏一対の外装シート１１と、両外装シート１１の下端部から内側に折り込まれてボトムガセット部を形成するボトムガセットシート１２と、両外装シート１１の上部側に折り込まれてトップガセット部を形成する、塩胡椒の振出孔１３ａを有するトップガセットシート１３とから構成されており、口部を開いた状態では、トップガセット部における袋本体の両側部に、塩胡椒の回収孔１３ｂが形成されるようになっている。【選択図】        図５
2005008163.tif 000002
【特許請求の範囲】
【請求項１】
柔軟性シートによって袋状に形成され、上端部を幅方向に切除または破断することによって開封される、粉状物または粒状物を包装するためのパウチ容器であって、
開封することによって形成される口部には、谷状に折り込まれたガセットシートによって、粉状物または粒状物の振出孔を有するトップガセット部が形成されており、
前記トップガセット部の両側部には、前記ガセットシートの折り目にかかるように、粉状物または粒状物の回収孔が形成されていることを特徴とするパウチ容器。
【発明の詳細な説明】
【０００１】
【発明の属する技術分野】
この発明は、柔軟性シートによって袋状に形成された、粉状物または粒状物を収容するためのパウチ容器に関する。
【０００２】
【従来の技術】
例えば、台所や食卓等で使用される食塩、胡椒、化学調味料等の粉状や顆粒状の商品については、簡単に振り出すことができるように、内蓋や外蓋に複数の振出孔が形成された専用の瓶容器等に収容した状態で販売されていたが、こういった瓶容器等に代えて、瓶容器等と同等の機能を有する、柔軟性シートによって形成されたパウチ容器を使用することが提案されている。
【０００３】
こういったパウチ容器は、柔軟性シートによって袋状に形成され、上端部を幅方向に切除または破断することによって開封される袋本体を備えており、開封することによって形成される袋本体の口部には、粉状や顆粒状の内容物の振出孔を有する、谷状に折り込まれたガセットシートによって、トップガセット部が形成されている。また、開封することによって形成される袋本体の口部内面には、トップガセット部の上側にファスナ部材が装着されており、このファスナ部材によって、口部を閉塞することができるようになっている。
【０００４】
従って、こういったパウチ容器では、袋本体を開封することによって形成された口部を開くと、トップガセット部を形成しているガセットシートが広がり、そのガセットシートに形成された振出孔から粉状や顆粒状の内容物を振り出すことができる。また、使用後は、ファスナ部材によって袋本体の口部を閉塞しておけば、袋本体内に残っている粉状や顆粒状の内容物を、こぼすことなく確実に保管することができる。
【０００５】
【特許文献１】
特開平１０−８１３４７号公報
【０００６】
【発明が解決しようとする課題】
ところで、上述したようなパウチ容器では、袋本体を開封したか否かに拘わらず、トップガセット部の上側に空間が形成されることになるので、開封前の輸送時や開封後の保管時等において、袋本体に収容された粉状や顆粒状の内容物の一部がガセットシートに形成された振出孔を通ってトップガセット部の上部空間に侵入し、ガセットシートの上に溜まってしまうことがある。
【０００７】
このように、ガセットシートの上に粉状や顆粒状の内容物が溜まった状態で袋本体の口部を開くと、ガセットシートの中央部が持ち上がるようにして広がるので、その動きに伴って、ガセットシートの上に溜まっていた内容物が袋本体から飛び出したり、袋本体の口部を開いて粉状や顆粒状の内容物を振り出す際、ガセットシートの上に溜まっていた粉状や顆粒状の内容物が一緒に振りかけられることになるので、適正量の内容物を確実に振りかけることができないといった問題がある。
【０００８】
そこで、この発明の課題は、粉状や顆粒状の内容物がトップガセット部を形成しているガセットシートの上に溜まりにくいパウチ容器を提供することにある。
【０００９】
【課題を解決するための手段及びその効果】
上記の課題を解決するため、この発明は、柔軟性シートによって袋状に形成され、上端部を幅方向に切除または破断することによって開封される、粉状物または粒状物を包装するためのパウチ容器であって、開封することによって形成される口部には、谷状に折り込まれたガセットシートによって、粉状物または粒状物の振出孔を有するトップガセット部が形成されており、前記トップガセット部の両側部には、前記ガセットシートの折り目にかかるように、粉状物または粒状物の回収孔が形成されていることを特徴とするパウチ容器を提供するものである。
【００１０】
以上のように、このパウチ容器は、トップガセット部の両側部に、ガセットシートの折り目にかかるように、粉状物や粒状物の回収孔が形成されているので、振出孔からトップガセット部の上部空間に粉状物や粒状物が侵入した場合であっても、口部を開く際に、ガセットシートの中央部が上方に持ち上がることに伴って、ガセットシートの上に溜まっていた粉状物や粒状物が、トップガセット部の両側部に位置している回収孔に確実に案内され、この回収孔を通ってトップガセット部の下側に回収されることになる。
【００１１】
従って、袋本体の口部を開いたときに、ガセットシートの上に溜まっていた粉状物や粒状物が袋本体から飛び出したり、袋本体の口部を開いて粉状物や粒状物を振り出す際、ガセットシートの上に溜まっていた粉状物や粒状物が一緒に振りかけられたりすることがなく、適正量の内容物を確実に振りかけることができる。
【００１２】
また、袋本体の口部を開いたときでも、下方側に突出した状態となっているトップガセット部の両側部に、粉状物や粒状物の回収孔が形成されているので、袋本体の口部を開いて粉状物や粒状物を振り出す際は、袋本体に収容された粉状物や粒状物が回収孔から放出され難く、回収孔が形成されていないパウチ容器と同様の感覚で、粉状物や粒状物を振り出すことができる。
【００１３】
【発明の実施の形態】
以下、実施の形態について図面を参照して説明する。図１〜図６に示すように、このパウチ容器１は、例えば、粉状物である塩胡椒を包装するための包装容器であり、柔軟性シートによって形成された袋本体１０と、この袋本体１０を開封することによって形成される口部を開閉するファスナー部材２０及び口部を開いた状態に保持する口部保持部材３０とから構成されている。
【００１４】
前記袋本体１０は、図２及び図３に示すように、表裏一対の外装シート１１と、両外装シート１１の下端部から内側に折り込まれてボトムガセット部を形成するボトムガセットシート１２と、両外装シート１１の上部側に折り込まれてトップガセット部を形成するトップガセットシート１３とから構成されており、図３（ａ）、（ｂ）に交斜線で示すように、折り込まれたボトムガセットシート１２及びトップガセットシート１３の内面の周縁が外装シート１１の内面にヒートシールされると共に、外装シート１１の内面の上縁部及び両側縁部が相互にヒートシールされることで、袋状に形成されている。
【００１５】
外装シート１１及びボトムガセットシート１２は、ポリエチレンテレフタレート、ポリアミド、ポリプロピレン等からなる基材層の内面側に、エチレン・ビニルアルコールコポリマ（ＥＶＯＨ）やアルミホイル、アルミ蒸着フィルム等からなる単層または複層のガスバリア層及び未延伸ポリプロピレンや未延伸ポリエチレン等からなる熱接着性樹脂層を順次積層した複層構造の柔軟性シートによって形成されており、トップガセットシート１３は、表裏両面が熱接着性を有するポリエチレン等の単層構造または両面にポリエチレン等のヒートシール性を有するシートを積層したポリアミド等の複層構造の柔軟性シートによって形成されている。
【００１６】
また、外装シート１１を形成している柔軟性シートは、横方向（袋本体１０の幅方向）に易破断性を有しており、上縁のヒートシール部分にかからないように、袋本体１０の上部両側縁に形成された切込１０ａから、袋本体１０の上端部を破断することによって、このパウチ容器１を開封することができるようになっている。
【００１７】
ボトムガセットシート１２は、二つ折りされた状態で両外装シート１１、１１間に挟み込まれており、ボトムガセットシート１２によって形成されるボトムガセット部の中央部分が綺麗に広がるように、外装シート１１の幅方向の中央部から両側部に向かってシール幅が徐々に大きくなるようにヒートシールされている。
【００１８】
一方、トップガセットシート１３は、図４に示すように、谷状（断面Ｖ字状）に折り畳まれた状態で両外装シート１１、１１間に挟み込まれており、図１（ｂ）及び図３（ａ）、（ｂ）に示すように、トップガセットシート１３には、折り目を挟んで両側に、このパウチ容器１に充填される塩胡椒を振り出すための複数の振出孔１３ａが形成されている。
【００１９】
また、トップガセットシート１３は、図２及び図３（ａ）、（ｂ）に示すように、折り畳まれた状態で、その折り目側の両コーナ部が斜めに切除された切除部Ｃを有しており、袋本体１０を開封することによって形成された口部を開口させた状態では、図５に示すように、その切除部Ｃの存在によって、塩胡椒の回収孔１３ｂが形成されるようになっている。
【００２０】
前記ファスナー部材２０は、図３（ａ）、（ｂ）及び図６（ａ）〜（ｃ）に示すように、相互に噛合する雄側ファスナー部材２０ａと雌側ファスナー部材２０ｂとから構成されており、雄側ファスナー部材２０ａ及び雌側ファスナー部材２０ｂは、袋本体１０を形成している両外装シート１１の上部内面における切込１０ａの下側の同一高さ位置に、外装シート１１の全幅にわたってそれぞれ熱溶着されている。なお、ファスナー部材２０は、必ずしも、外装シート１１の全幅にわたって配設する必要はなく、外装シート１１における両側縁のヒートシール部分の内側に配設することも可能である。
【００２１】
前記雄側ファスナー部材２０ａは、袋本体１０を形成している外装シート１１の幅と同一の長さを有する帯状の基材シート２１ａと、この基材シート２１ａの幅方向の上側においてその長手方向に延びる、先端が断面鉤状に形成された突条２２ａとから構成されており、基材シート２１ａが一方の外装シート１１の内面に熱溶着されている。
【００２２】
前記雌側ファスナー部材２０ｂは、袋本体１０を形成している外装シート１１の幅と同一の長さを有する帯状の基材シート２１ｂと、この基材シート２１ｂの幅方向の上側においてその長手方向に延びる、雄側ファスナー部材２０ａの突条２２ａと噛合する凹条２２ｂとから構成されており、基材シート２１ｂが他方の外装シート１１の内面に熱溶着されている。
【００２３】
従って、このパウチ容器１では、内容物が収容された状態で密封された袋本体１０の上縁部分を切込１０ａから破断することによって袋本体１０を開封した後も、雄側ファスナー部材２０ａの突条２２ａと雌側ファスナー部材２０ｂの凹条２２ｂとを相互に噛合させることによって（図６（ａ）参照）、袋本体１０の口部を簡単に閉塞することができる。
【００２４】
また、図６（ａ）〜（ｃ）に示すように、袋本体１０を形成している外装シート１１と、この外装シート１１の内面に熱溶着されている雄側ファスナー部材２０ａや雌側ファスナー部材２０ｂとの間には、基材シート２１ａにおける突条２２ａの下側部分や基材シート２１ｂにおける凹条２２ｂの下側部分に、塑性変形する断面円形状の線状体からなる口部保持部材３０が基材シート２１ａ、２１ｂの全長にわたって挟み込まれており、図１（ｂ）及び図５に示すように、この口部保持部材３０の存在によって、袋本体１０を開封することによって形成された口部を開口させたときに、口部がその開口状態に保持されるようになっている。なお、口部保持部材３０は、上述したような断面円形状の線状体に限定されるものではなく、断面略楕円状や断面長方形状の帯状体であってもよい。
【００２５】
以上のように、このパウチ容器１は、トップガセット部を形成しているトップガセットシート１３の折り目側の両コーナ部が斜めに切除されており、袋本体１０を開封することによって形成された口部を開いた状態では、トップガセット部の両側部に塩胡椒の回収孔１３ｂが形成されるようになっているので、トップガセットシート１３に形成された振出孔１３ａからトップガセット部の上部空間側に塩胡椒が侵入した場合であっても、口部を開く際に、トップガセットシート１３の中央部が上方に持ち上がることに伴って、トップガセットシート１３の上に溜まっていた塩胡椒が、トップガセット部の両側部の低い位置に開放されている回収孔１３ｂに確実に案内され、この回収孔１３ｂを通ってトップガセット部の下部空間側に回収されることになる。
【００２６】
従って、袋本体１０の口部を開いたときに、トップガセットシート１３の上に溜まっていた塩胡椒が袋本体１０から飛び出したり、袋本体１０の口部を開いて塩胡椒を振り出す際、トップガセットシート１３の上に溜まっていた塩胡椒が一緒に振りかけられたりすることがなく、適正量の塩胡椒を確実に振りかけることができる。
【００２７】
また、袋本体１０の口部を開いたときでも、下方側に突出した状態となっているトップガセット部の両側部に、塩胡椒の回収孔１３ｂが形成されているので、袋本体１０の口部を開いて塩胡椒を振り出す際は、袋本体１０に収容された塩胡椒が回収孔１３ｂから放出され難く、回収孔が形成されていないパウチ容器と同様の感覚で、塩胡椒を振り出すことができる。
【００２８】
なお、上述した実施形態では、トップガセットシート１３の折り目側の両コーナ部を斜めに切除することによって、回収孔１３ｂを形成するようにしているが、これに限定されるものではなく、トップガセットシート１３の折れ目にかかる位置やこの近くに、独立した孔を形成することも可能であり、回収時に起こされて回収孔が形成されるような弁機能を有する舌片を形成しておくことも可能である。
【００２９】
また、上述した実施形態では、塩胡椒の振出孔１３ａと回収孔１３ｂとを完全に区別しているが、これに限定されるものではなく、塩胡椒の回収孔１３ｂを振出孔の１つとして機能させることも可能である。
【００３０】
また、上述した実施形態では、トップガセットシート１３の折り目を挟んで両側に、塩胡椒の振出孔１３ａを形成しているが、これに限定されるものではなく、トップガセットシート１３の折り目にかかるように、塩胡椒の振出孔を形成することも可能である。
【００３１】
また、上述した実施形態では、トップガセットシート１３を断面Ｖ字状に折り畳んだ状態で外装シート１１にヒートシールしているが、これに限定されるものではなく、トップガセットシートを断面Ｗ字状に折り畳んだ状態で外装シートにヒートシールすることも可能であり、その場合は、谷側の２本の折れ目にそれぞれかかるように塩胡椒の回収孔を形成しておく必要がある。
【００３２】
また、上述した実施形態では、袋本体１０がボトムガセット部を有する自立可能なパウチ容器１について説明したが、これに限定されるものではなく、ボトムガセット部を備えていない自立性のないパウチ容器についても、本発明を適用することができることはいうまでもない。また、袋本体１０の形状も、例えば、上部側が幅狭となった正面視略台形状等の異形のものでもよい。
【図面の簡単な説明】
【図１】（ａ）はこの発明にかかるパウチ容器の一実施形態を示す斜視図、（ｂ）は同上のパウチ容器を開封した状態を示す斜視図である。
【図２】同上のパウチ容器を扁平に折り畳んだ状態を示す平面図である。
【図３】（ａ）は同上のパウチ容器における一方の外装シートを取り除いた状態を示す平面図、（ｂ）は同上のパウチ容器における他方の外装シートを取り除いた状態を示す平面図である。
【図４】図１（ａ）のＸ−Ｘ線に沿った概略断面図である。
【図５】図１（ｂ）のＹ−Ｙ線に沿った概略断面図である。
【図６】（ａ）は同上のパウチ容器に使用されているファスナー部材を示す部分拡大断面図、（ｂ）は同上のファスナー部材の噛合を解除した状態を示す部分拡大断面図、（ｃ）は同上のファスナー部材の噛合を解除した状態を示す分解断面図である。
【符号の説明】
１  パウチ容器
１０  袋本体
１０ａ  切込
１１  外装シート
１２  ボトムガセットシート
１３  トップガセットシート
１３ａ  振出孔
１３ｂ  回収孔
２０  ファスナー部材
２０ａ  雄側ファスナー部材
２０ｂ  雌側ファスナー部材
２１ａ、２１ｂ  基材シート
２２ａ  突条
２２ｂ  凹条
３０  口部保持部材
Ｃ  切除部
【図１】
2005008163.tif 000003
【図２】
2005008163.tif 000004
【図３】
2005008163.tif 000005
【図４】
2005008163.tif 000006
【図５】
2005008163.tif 000007
【図６】
2005008163.tif 000008